(57)【要約】【課題】袋本体部分と中仕切り片とを一体に形成したことにより、部品数が少なくて部品管理や加工が簡単であり、コストが低廉で済む仕切り付き袋を提供すること。【解決手段】袋本体部１の前面片３の一側に背面片４を、他側に中仕切り片２をそれぞれ連続して形成し、背面片４及び中仕切り片２を内側へ折り返し、背面片４の前面片３と逆側の側端部を中仕切り片２の外面に止着し、中仕切り片２の前面片３と逆側の側端部を前面片３の中間部内面に止着し、前面片３、背面片４及び中仕切り片２の下端部を止着して袋底を形成し、袋本体部１の内部を中仕切り片２で区画してある。【選択図】図１
0003150520.tif 000002
【実用新案登録請求の範囲】
【請求項１】
袋本体部の内部を中仕切り片で区画した仕切り付き袋において、前記袋本体部の前面片の一側に背面片を連続して形成すると共に、他側に前記中仕切り片を連続して形成し、前記背面片及び中仕切り片を内側へ折り返し、前記背面片の前面片と逆側の側端部を前記中仕切り片の外面に止着し、前記中仕切り片の前面片と逆側の側端部を前記前面片の中間部内面に止着し、前記前面片、背面片及び中仕切り片の下端部を止着して袋底を形成してあることを特徴とした仕切り付き袋。
【請求項２】
前記前面片の両側に襞付き側面片を介してそれぞれ背面片及び中仕切り片を形成した請求項１に記載の仕切り付き袋。
【請求項３】
前記前面片の上端部を前記背面片及び中仕切り片の上端部よりも短く形成し、前記前面片の下端部を前記背面片及び中仕切り片の下端部よりも長く形成し、前記前面片、背面片及び中仕切り片の下端部を背面側に折り返して、前記前面片の折り返した部分を前記背面片及び中仕切り片の外面に止着してある請求項１又は２に記載の仕切り付き袋。
【考案の詳細な説明】
【技術分野】
【０００１】
本考案は、内部を中仕切り片によって区画した仕切り付き袋に関する。
【背景技術】
【０００２】
１つの袋に異なる種類の物品を収納することも多く、このような場合には、他種類の物品どうしが交じり合わないよう、袋内に複数の収納室を設けてあると便利である。
そこで、本出願人は、先に、袋本体と中仕切りシートとを備え、中仕切りシートの下部及び両側部を袋本体の内面に接着して袋本体の内部を区画した仕切り付き袋を提案した（特許文献１参照）。
しかし、この仕切り付き袋は、袋本体の内面にこれとは別体の中仕切りシートを貼り付けてあるので、袋本体と中仕切りシートを別々に裁断し、袋本体の内部に中仕切りシートを位置決めして接着しなければならず、加工が面倒で製造に手間がかかった。
【先行技術文献】
【特許文献】
【０００３】
【特許文献１】実用新案登録第３１３４７３１号公報
【考案の概要】
【考案が解決しようとする課題】
【０００４】
本考案が解決しようとする課題は、袋本体部分と中仕切り片とを一体に形成したことにより、部品数が少なくて部品管理や加工が簡単であり、コストが低廉で済む仕切り付き袋を提供することにある。
【課題を解決するための手段】
【０００５】
本考案は、袋本体部の内部を中仕切り片で区画した仕切り付き袋に関し、前記袋本体部の前面片の一側に背面片を連続して形成すると共に、他側に前記中仕切り片を連続して形成し、前記背面片及び中仕切り片を内側へ折り返し、前記背面片の前面片と逆側の側端部を前記中仕切り片の外面に止着し、前記中仕切り片の前面片と逆側の側端部を前記前面片の中間部内面に止着し、前記前面片、背面片及び中仕切り片の下端部を止着して袋底を形成してある。
【０００６】
前記前面片の両側に襞付き側面片を介してそれぞれ背面片及び中仕切り片を形成しても良い。
また、前記前面片の上端部を前記背面片及び中仕切り片の上端部よりも短く形成すると共に、前記前面片の下端部を前記背面片及び中仕切り片の下端部よりも長く形成し、前記前面片、背面片及び中仕切り片の下端部を背面側に折り返して、前記前面片の折り返した部分を前記背面片及び中仕切り片の外面に止着しても良い。
【考案の効果】
【０００７】
請求項１に係る考案によれば、袋本体部と中仕切り片とを一体に形成してあるので、部品数が少なくて、一度に裁断でき、部品管理や部品搬送に要する手間も削減され、中仕切り片と袋本体部との位置あわせも容易であり、加工が簡単で製造コストが低廉で済む。
請求項２に係る考案によれば、袋本体部の奥行きが増し、収納空間が広くなる。
請求項３に係る考案によれば、前面片の下端部により背面片及び中仕切り片の下端部を包んで止着するので袋底が強靭となり、前面片上端部の短くした部分から中仕切り片の上端部が露出するため、露出した中仕切り片を掴んで前方へ引っ張ることにより、簡単に袋口を開くことができる。
【図面の簡単な説明】
【０００８】
【図１】本考案の実施例を示す仕切り付き袋の斜視図。
【図２】本考案の実施例を示す仕切り付き袋の展開図。
【図３】本考案の実施例を示す仕切り付き袋の折り畳み状態における前面図。
【図４】本考案の実施例を示す仕切り付き袋の折り畳み状態における背面図。
【考案を実施するための形態】
【０００９】
以下、本考案の実施例を図面に基づいて詳細に説明する。
本考案の仕切り付き袋は、図１に示すように、袋本体部１の前面片３と背面片４とに亘って中仕切り片２を取り付け、袋本体部１の内部を中仕切り片２で二つの収納空間５，６に区画したものである。
また、袋本体部１と中仕切り片２とは、多層紙、プラスチックラミネート紙等の適宜紙素材より成る１枚のシートで一体に形成される。
【００１０】
仕切り付き袋を展開すると、図２に示すように、袋本体部１の前面片３の一側に、襞付き側面片７ａを介して背面片４を連続して形成すると共に、他側に襞付き側面片７ｂを介して中仕切り片２を連続して形成してある。
前面片３の上端部は背面片４及び中仕切り片２の上端部よりも短く形成され、前面片３の下端部は背面片４及び中仕切り片２の下端部よりも長く形成されている。前面片３の上端部の短くした部分３ａと、下端部の長くした部分３ｂとは同じ長さとなっている。
【００１１】
前面片３と襞付き側面片７ａとの間、襞付き側面片７ａと背面片４との間、前面片３と襞付き側面片７ｂとの間、襞付き側面片７ｂと中仕切り片２との間にはそれぞれ折り線Ｌ１，Ｌ２，Ｌ３，Ｌ４が形成され、襞付き側面片７ａ，７ｂの中間部にはそれぞれ上下方向に沿って襞折り線Ｌ５，Ｌ６が形成されている。
また、前面片３、襞付き側面片７ａ，７ｂ、背面片４及び中仕切り片２の下部には、袋幅方向の全長に亘って底折り線Ｌ７が形成され、中仕切り片２の先端部（前面片３と逆側の側端部）からやや内側には、上下方向に沿って折り返し線Ｌ８が形成されている。
【００１２】
この仕切り付き袋は次のように組み立てる。
背面片４の先端部（前面片３と逆側の側端部）内面に上下方向に沿って形成した糊付け部Ａ、及び、前面片３の中間部内面に上下方向に沿って形成した糊付け部Ｂに接着剤を塗布する。
また、折り線Ｌ１，Ｌ２，Ｌ３，Ｌ４及び襞折り線Ｌ５，Ｌ６に沿って折り曲げて、襞付き側面片７ａ，７ｂに中折れの襞を形成すると共に、背面片４及び中仕切り片２を内側へ折り返す。
【００１３】
そして、中仕切り片２を折り返し線Ｌ８に沿って内面側へ折り返し、中仕切り片２の先端部を糊付け部Ｂを介して前面片３の中間部内面に止着する。また、背面片４の先端部を糊付け部Ａを介して中仕切り片２の外面に止着する。
さらに、図４に示すように、重ね合わせた前面片３、中仕切り片２、背面片４及び襞付き側面片７ａ，７ｂを底折り線Ｌ７に沿って背面側へ折り返し、前面片３の折り返した部分を背面片４及び中仕切り片２の外面に接着して袋底を形成する。
この結果、袋本体部１の前面片３と背面片４とに亘って中仕切り片２が取り付けられ、袋本体部１の内部が区画される。
【００１４】
また、図３に示すように、前面片３の上端部の短くした部分３ａには中仕切り片２の上端部が露出しているので、この部分を掴んで前方に引っ張るだけで簡単に袋口を開くことができる。
なお、用途によっては側面片を設けない仕切り付き袋とすることもできるが、上記実施例のように襞付き側面片７ａ，７ｂを設けると、収納空間５，６が広くなって収納容量が増大する。
【符号の説明】
【００１５】
１  袋本体部
２  中仕切り片
３  前面片
４  背面片
５，６  収納空間
７ａ，７ｂ  襞付き側面片
Ａ，Ｂ  糊付け部
【図１】
0003150520.tif 000003
【図２】
0003150520.tif 000004
【図３】
0003150520.tif 000005
【図４】
0003150520.tif 000006